(57)【要約】【課題】  商品表示情報の確認作業を容易かつ迅速に行なうことができ、チェックミスを効果的に防止できる商品表示情報チェックシステムおよび商品表示情報チェックプログラムを提供することを目的とする。【解決手段】  商品又は包装に付される商品表示情報を担当者にチェックさせる商品表示情報チェックシステムであって、商品又は包装の１つ以上の面を撮影した画像データ，担当者のリスト及びチェック結果を関連付けたデータベース１１と、発売時期から所定期間前になるとデータベースから担当者のリストを読み出して、担当者に商品表示情報のチェック指示を行なうチェック指示部３２と、閲覧要求に応じた商品又は包装の画像データを読み出して商品又は包装の画像を表示し、チェック結果をデータベースに登録するチェック実行部３３とを有することにより上記課題を解決する。【選択図】  図３
2006318137.tif 000002
【特許請求の範囲】
【請求項１】
少なくとも商品又は前記商品の包装の何れか一方に付される商品表示情報を担当者にチェックさせる商品表示情報チェックシステムであって、
前記商品又は前記商品の包装の１つ以上の面を撮影した画像データ，前記商品表示情報をチェックすべき担当者のリスト及び前記担当者によるチェック結果を関連付けたデータベースと、
前記商品の発売時期を検索し、前記発売時期から所定期間前になると前記データベースから前記商品表示情報をチェックすべき担当者のリストを読み出して、前記担当者に前記商品表示情報のチェック指示を行なうチェック指示部と、
前記担当者からの閲覧要求に応じた前記商品又は前記商品の包装の画像データを読み出して前記商品又は前記商品の包装の画像を表示し、前記担当者によるチェック結果を前記データベースに登録するチェック実行部と
を有することを特徴とする商品表示情報チェックシステム。
【請求項２】
前記データベースは、ＤｊＶｕ（デジャヴ）フォーマットで圧縮された前記商品又は前記商品の包装の１つ以上の面を撮影した画像データを格納しており、
前記チェック実行部は、前記データベースに格納されている画像データを読み出して前記商品又は前記商品の包装の画像を表示し、前記担当者による操作に基づき前記商品又は前記商品の包装の画像を回転，拡大することを特徴とする請求項１記載の商品表示情報チェックシステム。
【請求項３】
前記データベースは、ＤｊＶｕフォーマット以外で圧縮された前記商品又は前記商品の包装の１つ以上の面を撮影したサムネイルデータを更に格納しており、
前記チェック実行部は、前記データベースに格納されているサムネイルデータを読み出して前記商品又は前記商品の包装のサムネイルを表示し、前記担当者により選択された前記サムネイルに対応する前記商品又は前記商品の包装の画像を表示することを特徴とする請求項２記載の商品表示情報チェックシステム。
【請求項４】
前記データベースに登録された前記担当者によるチェック結果を検索し、前記商品表示情報をチェックすべき全ての担当者によるチェックが正常に完了した前記商品を出荷確認済みに設定する出荷確認設定部を更に有することを特徴とする請求項１乃至３何れか一項記載の商品表示情報チェックシステム。
【請求項５】
前記出荷確認済みに設定された前記商品を在庫として計数する物流出荷システムに前記出荷確認済みに設定された前記商品を通知する通知部を更に有することを特徴とする請求項４記載の商品表示情報チェックシステム。
【請求項６】
少なくとも商品又は前記商品の包装の何れか一方に付される商品表示情報を担当者にチェックさせるコンピュータを、
前記商品又は前記商品の包装の１つ以上の面を撮影した画像データ，前記商品表示情報をチェックすべき担当者のリスト及び前記担当者によるチェック結果を関連付けたデータベースと、
前記商品の発売時期を検索し、前記発売時期から所定期間前になると前記データベースから前記商品表示情報をチェックすべき担当者のリストを読み出して、前記担当者に前記商品表示情報のチェック指示を行なうチェック指示部と、
前記担当者からの閲覧要求に応じた前記商品又は前記商品の包装の画像データを読み出して前記商品又は前記商品の包装の画像を表示し、前記担当者によるチェック結果を前記データベースに登録するチェック実行部と
して機能させる為の商品表示情報チェックプログラム。
【発明の詳細な説明】
【技術分野】
【０００１】
本発明は、商品表示情報チェックシステムおよび商品表示情報チェックプログラムに係り、特に少なくとも商品又は商品の包装の何れか一方に付される商品表示情報を担当者にチェックさせる商品表示情報チェックシステムおよび商品表示情報チェックプログラムに関する。
【背景技術】
【０００２】
例えば化粧品，薬品，食品などの商品、その商品の包装や容器等には、商品に関する内容を表す商品表示情報が印刷やラベル等により付されている。通常、商品表示情報の確認作業は、商品管理責任のある各部署の担当者が、商品表示原稿や商品見本を見ながら行っている。
【０００３】
各部署の担当者は、紙のチェックシートに確認作業の結果を記入して回覧する。品質保証部門の担当者は、各部署の担当者による確認作業の結果を取りまとめ、商品表示情報の最終的な確認作業を行って、合格判定を押印していた。
【０００４】
ところで、商品表示情報はデータ入力ミス等により、間違いが生じ易く、商品表示情報の訂正とチェックとが繰り返し行われることが多い。そこで、担当者にチェックさせる商品表示情報にはバージョン情報が付されており、内容が改訂されたときに新しいバージョンが付される。
【０００５】
特許文献１には、商品ラベルとデータチェック用のインデックスラベルとを連設したラベルシートを用いて、商品ラベルの表示内容をチェックする技術が開示されている。
【特許文献１】特開平７−１２９０８７号公報
【発明の開示】
【発明が解決しようとする課題】
【０００６】
しかしながら、従来の商品表示情報の確認作業では、商品管理責任のある各部署が、それぞれ商品表示原稿や商品見本の複製を保有しているケースが多く、一元管理が成されていないという問題があった。この為、従来の商品表示情報の確認作業では商品表示情報のバージョン違い等によるチェックミスが生じていた。また、商品表示情報の内容が改訂されたときに、新しいバージョンの商品表示原稿や商品見本が迅速に行き渡らないという問題も生じていた。
【０００７】
さらに、ワークフローが標準化（システム化）されていない為に、従来の商品表示情報の確認作業では、確認作業が特定の部署で止まっていて、チェックに要する時間が長く掛かるケースがあり、商品の発売開始までの限られた時間を有効に使えないという問題が生じていた。
【０００８】
本発明は、上記の点に鑑みなされたもので、商品表示情報の確認作業を視覚で容易かつ迅速に行なうことができ、チェックミスを効果的に防止できる商品表示情報チェックシステムおよび商品表示情報チェックプログラムを提供することを目的とする。
【課題を解決するための手段】
【０００９】
上記課題を解決するため、本発明は、少なくとも商品又は前記商品の包装の何れか一方に付される商品表示情報を担当者にチェックさせる商品表示情報チェックシステムであって、前記商品又は前記商品の包装の１つ以上の面を撮影した画像データ，前記商品表示情報をチェックすべき担当者のリスト及び前記担当者によるチェック結果を関連付けたデータベースと、前記商品の発売時期を検索し、前記発売時期から所定期間前になると前記データベースから前記商品表示情報をチェックすべき担当者のリストを読み出して、前記担当者に前記商品表示情報のチェック指示を行なうチェック指示部と、前記担当者からの閲覧要求に応じた前記商品又は前記商品の包装の画像データを読み出して前記商品又は前記商品の包装の画像を表示し、前記担当者によるチェック結果を前記データベースに登録するチェック実行部とを有することを特徴とする。
【００１０】
前記データベースは、ＤｊＶｕ（デジャヴ）フォーマットで圧縮された前記商品又は前記商品の包装の１つ以上の面を撮影した画像データを格納しており、前記チェック実行部は、前記データベースに格納されている画像データを読み出して前記商品又は前記商品の包装の画像を表示し、前記担当者による操作に基づき前記商品又は前記商品の包装の画像を回転，拡大することを特徴としてもよい。
【００１１】
前記データベースは、ＤｊＶｕフォーマット以外で圧縮された前記商品又は前記商品の包装の１つ以上の面を撮影したサムネイルデータを更に格納しており、前記チェック実行部は、前記データベースに格納されているサムネイルデータを読み出して前記商品又は前記商品の包装のサムネイルを表示し、前記担当者により選択された前記サムネイルに対応する前記商品又は前記商品の包装の画像を表示することを特徴としてもよい。
【００１２】
前記データベースに登録された前記担当者によるチェック結果を検索し、前記商品表示情報をチェックすべき全ての担当者によるチェックが正常に完了した前記商品を出荷確認済みに設定する出荷確認設定部を更に有することを特徴としてもよい。
【００１３】
前記出荷確認済みに設定された前記商品を在庫として計数する物流出荷システムに前記出荷確認済みに設定された前記商品を通知する通知部を更に有することを特徴としてもよい。
【００１４】
また、本発明は、少なくとも商品又は前記商品の包装の何れか一方に付される商品表示情報を担当者にチェックさせるコンピュータを、前記商品又は前記商品の包装の１つ以上の面を撮影した画像データ，前記商品表示情報をチェックすべき担当者のリスト及び前記担当者によるチェック結果を関連付けたデータベースと、前記商品の発売時期を検索し、前記発売時期から所定期間前になると前記データベースから前記商品表示情報をチェックすべき担当者のリストを読み出して、前記担当者に前記商品表示情報のチェック指示を行なうチェック指示部と、前記担当者からの閲覧要求に応じた前記商品又は前記商品の包装の画像データを読み出して前記商品又は前記商品の包装の画像を表示し、前記担当者によるチェック結果を前記データベースに登録するチェック実行部として機能させる為の商品表示情報チェックプログラムであることを特徴とする。
【００１５】
本発明では、商品又は商品の包装の１つ以上の面を撮影した画像データを一元管理することができ、商品の発売時期から所定期間前になると担当者に商品又は商品の包装のチェック指示を行なうことができ、商品または商品の包装の画像を回転，拡大して表示することができ、全ての担当者によるチェックが正常に完了した商品を出荷確認済みに設定することができる。
【００１６】
また、本発明では、出荷確認済みに設定された商品を在庫として計数する物流出荷システムに出荷確認済みに設定された商品を通知することで、出荷確認済みに設定された商品を迅速に物流出荷システムの在庫に反映できる。
【発明の効果】
【００１７】
本発明によれば、商品表示情報の確認作業を視覚で容易かつ迅速に行なうことができ、チェックミスを効果的に防止できる商品表示情報チェックシステムおよび商品表示情報チェックプログラムを提供可能である。
【発明を実施するための最良の形態】
【００１８】
次に、本発明を実施するための最良の形態を、以下の実施例に基づき図面を参照しつつ説明していく。
【００１９】
図１は、本発明による商品表示情報チェックシステムの一実施例の構成図である。図１の商品表示情報チェックシステム１は、Ｗｅｂサーバ１０，データベース（以下、ＤＢという）１１，工場用クライアント１２，部署用クライアント１３ａ〜１３ｎ，ＬＡＮやインターネット等の所定のネットワーク１４を有する構成である。Ｗｅｂサーバ１０，工場用クライアント１２，部署用クライアント１３ａ〜１３ｎは、ネットワーク１４を介して接続されている。Ｗｅｂサーバ１０は、ＤＢ１１に接続されている。
【００２０】
工場用クライアント１２は、商品，容器，包装などに印刷やラベルにより商品表示情報を付する工場等に設置される。部署用クライアント１３ａ〜１３ｎは、商品，容器，包装などに付された商品表示情報をチェックする購買部，商品開発部，技術部，宣伝部，研究所等の関連部署に設置される。Ｗｅｂサーバ１０及びＤＢ１１は、コンピュータセンタ又はデータセンタ等の安全性の高い場所に設置される。
【００２１】
次に、Ｗｅｂサーバ１０を実現するためのハードウェア構成について説明する。図２はＷｅｂサーバの一例の構成図である。図２のＷｅｂサーバ１０は、それぞれバスＢで相互に接続されている入力装置２１と，出力装置２２と，ドライブ装置２３と，補助記憶装置２５と，メモリ装置２６と，演算処理装置２７と，インターフェース装置２８とを有するように構成される。なお、図２のＷｅｂサーバ１０を構成する各種デバイスは、１つの筐体に収容してもよいし、複数の筐体に分散して収容してもよい。
【００２２】
入力装置２１はキーボード，マウスなどで構成され、様々な操作指示を入力するために用いられる。出力装置２２は、操作に必要な各種ウインドウやデータ等を表示する。インターフェース装置２８は、ネットワーク１４に接続する為のインターフェースであり、例えばモデム，ルータ，ＬＡＮカード等で構成される。
【００２３】
Ｗｅｂサーバ１０を制御する商品表示情報チェックプログラムは、ＣＤ−ＲＯＭ等の記録媒体２４によって提供される。商品表示情報チェックプログラムを記録した記録媒体２４は、ドライブ装置２３にセットされる。商品表示情報チェックプログラムは、記録媒体２４からドライブ装置２３を介して補助記憶装置２５にインストールされる。
【００２４】
なお、商品表示情報チェックプログラムを記録した記録媒体２４は、ＣＤ−ＲＯＭ、フレキシブルディスク、光磁気ディスク（ＭＯ）等の様に情報を光学的，電気的或いは磁気的に記録する記録媒体、又はＲＯＭ、フラッシュメモリ等の様に情報を電気的に記録する半導体メモリ等、様々なタイプの記録媒体を用いることが可能である。
【００２５】
また、商品表示情報チェックプログラムはインターフェース装置２８を介して接続される他のコンピュータの記録媒体等に記録されているものも含まれる。他のコンピュータの記録媒体等に記録されている商品表示情報チェックプログラムは、インターフェース装置２８を介してダウンロードされて補助記憶装置２５にインストールされる。補助記憶装置２５は、インストールされた商品表示情報チェックプログラムと、その商品表示情報チェックプログラムの処理に必要な各種ファイル等を格納する。
【００２６】
メモリ装置２６は、起動時に補助記憶装置２５から商品表示情報チェックプログラムを読み出して格納する。演算処理装置２７は、メモリ装置２６に格納された商品表示情報チェックプログラムに従ってＷｅｂサーバ１０の各種処理部を実現する。
【００２７】
図３は、Ｗｅｂサーバの各種処理部を表す一例のブロック図である。Ｗｅｂサーバ１０は、データ登録部３１，チェック指示部３２，チェック実行部３３，出荷確認設定部３４及び通知部３５を有するように構成される。
【００２８】
データ登録部３１は、受信したデータをデータベース１１に登録する。なお、データ登録部３１は受信したデータが画像データであるとき、その画像データをＤｊＶｕ（デジャヴ）フォーマットで圧縮してデータベース１１に登録する。ＤｊＶｕとは、圧縮率および再現性に優れた画像圧縮技術である。
【００２９】
また、データ登録部３１は受信したデータが画像データであるとき、その画像データをＤｊＶｕ（デジャヴ）フォーマット以外（例えば、ＪＰＥＧフォーマット）で圧縮したサムネイルデータをデータベース１１に登録する。
【００３０】
チェック指示部３２はデータベース１１から商品の発売時期を検索し、発売時期から所定期間前になるとデータベース１１から商品表示情報をチェックすべき担当者のリストを読み出す。チェック指示部３２は読み出したリストに含まれる担当者の部署用クライアント１３ａ〜１３ｎに商品表示情報のチェック指示を送信する。
【００３１】
チェック実行部３３は、部署用クライアント１３ａ〜１３ｎからの閲覧要求に応じて商品，容器，包装などの１つ以上の面の画像データ及びサムネイルデータをデータベース１１から読み出す。チェック実行部３３は、商品，容器，包装などの１つ以上の面のサムネイル及び画像を部署用クライアント１３ａ〜１３ｎに表示させる。なお、チェック実行部３３は商品，容器，包装などの１つ以上の面の画像を、担当者による部署用クライアント１３ａ〜１３ｎの操作に基づき、回転，拡大させて部署用クライアント１３ａ〜１３ｎに表示させる。
【００３２】
また、チェック実行部３３は、商品，容器，包装などの１つ以上の面のサムネイルを最初に表示し、部署用クライアント１３ａ〜１３ｎの担当者により選択されたサムネイルに対応する商品，容器，包装などの１つ以上の面の画像を部署用クライアント１３ａ〜１３ｎに表示させるようにしてもよい。部署用クライアント１３ａ〜１３ｎから商品表示情報のチェック結果を受信すると、チェック実行部３３は、部署用クライアント１３ａ〜１３ｎから受信した担当者によるチェック結果をデータベース１１に登録する。
【００３３】
出荷確認設定部３４はデータベース１１に登録されたチェック結果を検索し、商品表示情報をチェックすべき全ての担当者によるチェックが正常に完了した商品があれば、出荷確認済みフラグをオン（ＯＮ）に設定する。出荷確認済みフラグは、その商品が出荷確認済みか否かを表している。通知部３５は、出荷確認済みフラグがオンとなった商品を流通出荷システム（図示せず）に通知する。流通出荷システムは、出荷確認済みフラグがオンとなった商品を在庫として計数できる。
【００３４】
以下、本発明による商品表示情報チェックシステム１の処理を、図１及び図３を適宜参照しつつ説明していく。
【００３５】
工場用クライアント１２を操作する担当者は、印刷やラベルにより商品表示情報を付した商品，容器，包装などの１つ以上の面を撮影する。工場用クライアント１２は、担当者からの登録要求に基づき、商品表示情報を付した商品，容器，包装などの１つ以上の面の画像データをＷｅｂサーバ１０に送信する。
【００３６】
Ｗｅｂサーバ１０のデータ登録部３１は、工場用クライアント１２から画像データを受信すると、その画像データをＤｊＶｕフォーマットで圧縮してデータベース１１に登録する。また、データ登録部３１は受信した画像データをＤｊＶｕフォーマット以外のＪＰＥＧフォーマットで圧縮し、サムネイルデータとしてデータベース１１に登録する。
【００３７】
データ登録部３１は、登録した画像データ及びサムネイルデータを用いて図４のような商品表示情報チェックテーブルを作成する。図４は、商品表示情報チェックテーブルの一例の構成図である。図４の商品表示情報チェックテーブルは、商品コード，商品名，発売年月，画像リスト，担当者リスト，出荷確認済みフラグをデータ項目として含む。
【００３８】
商品コード及び商品名は、商品，容器，包装などに付された商品表示情報をチェックする商品の識別子及び名称である。発売年月は、商品の発売時期を表す。画像リストは、商品の圧縮された画像データおよびサムネイルデータを表す。担当者リストは、商品表示情報をチェックすべき担当者を表す。出荷確認済みプラグは、その商品が出荷確認済みか否かを表す。
【００３９】
データ登録部３１は、図５のようなチェック結果テーブルを作成する。図５は、チェック結果テーブルの一例の構成図である。チェック結果テーブルは、担当者コード，１つ以上のチェック結果をデータ項目として含む。
【００４０】
Ｗｅｂサーバ１０のチェック指示部３２は、図４の商品表示情報チェックテーブルから商品の発売年月を読み出し、発売年月から所定期間前になると、担当者リストに登録されている担当者の部署用クライアント１３ａ〜１３ｎに商品表示情報のチェック指示を例えばＥメール等で送信する。
【００４１】
商品表示情報のチェック指示を受信した部署用クライアント１３ａ〜１３ｎを操作する担当者は、Ｗｅｂサーバ１０に接続する。Ｗｅｂサーバ１０のチェック実行部３３は部署用クライアント１３ａ〜１３ｎからの閲覧要求に応じて商品，容器，包装などの１つ以上の面の画像データ及びサムネイルデータをデータベース１１から読み出し、画像データ及びサムネイルデータを部署用クライアント１３ａ〜１３ｎに送信する。
【００４２】
部署用クライアント１３ａ〜１３ｎは、ＤｊＶｕフォーマットで圧縮された画像データ及びＪＰＥＧフォーマットで圧縮されたサムネイルデータを閲覧可能な画像閲覧用ソフトウエアを実装しており、商品の画像及びサムネイルを表示可能である。画像閲覧用ソフトウェアとしては、例えば（株）セラーテムテクノロジー社の画像圧縮閲覧用ソフトウェアを利用できる。部署用クライアント１３ａ〜１３ｎは、担当者による操作に基づき、商品の画像を回転，拡大させて表示できる。担当者は、部署用クライアント１３ａ〜１３ｎを操作して、商品の画像を必要に応じて回転，拡大させながら、商品，容器，包装などに付された商品表示情報のチェックを行なう。
【００４３】
一般的に、商品，容器，包装などに付される商品表示情報は細かく記載されていることが多い。そこで、部署用クライアント１３ａ〜１３ｎでは商品の画像を拡大させることにより商品表示情報を大きく表示できるようにして、商品表示情報のチェックを容易にしている。
【００４４】
図６は、商品表示情報を確認する画面の一例のイメージ図である。図６の例では、サムネイルを最初に表示し、部署用クライアント１３ａ〜１３ｎの担当者により選択されたサムネイルに対応する画像を表示させている。
【００４５】
担当者は、商品表示情報のチェックが終了すると、図７に示すチェック結果入力画面を部署用クライアント１３ａ〜１３ｎの画面上に表示させ、チェック結果を入力する。図７はチェック結果を入力する画面の一例のイメージ図である。チェック実行部３３は、部署用クライアント１３ａ〜１３ｎから商品表示情報のチェック結果を受信すると、そのチェック結果をチェック結果テーブルに登録する。図７のチェック結果入力画面では、担当者以外の第三者が不正にチェック結果を入力することを防ぐ為に、確認パスワードの入力欄を設けている。
【００４６】
Ｗｅｂサーバ１０の出荷確認設定部３４は、商品表示情報チェックテーブル及びチェック結果テーブルを検索し、商品表示情報をチェックすべき全ての担当者によるチェックが正常に完了した商品があれば、出荷確認済みフラグをオン（ＯＮ）に設定する。
【００４７】
また、Ｗｅｂサーバ１０の通知部３５は、出荷確認済みフラグがオンとなった商品を流通出荷システム（図示せず）に通知する。流通出荷システムは、出荷確認済みフラグがオンとなった商品を在庫として計数できる。
【００４８】
本発明は、具体的に開示された実施例に限定されるものではなく、特許請求の範囲から逸脱することなく、種々の変形や変更が可能である。
【図面の簡単な説明】
【００４９】
【図１】本発明による商品表示情報チェックシステムの一実施例の構成図である。
【図２】Ｗｅｂサーバの一例の構成図である。
【図３】Ｗｅｂサーバの各種処理部を表す一例のブロック図である。
【図４】商品表示情報チェックテーブルの一例の構成図である。
【図５】チェック結果テーブルの一例の構成図である。
【図６】商品表示情報を確認する画面の一例のイメージ図である。
【図７】チェック結果を入力する画面の一例のイメージ図である。
【符号の説明】
【００５０】
１    商品表示情報チェックシステム
１０    Ｗｅｂサーバ
１１    データベース
１２    工場用クライアント
１３ａ〜１３ｎ    部署用クライアント
１４    ネットワーク
２１    入力装置
２２    出力装置
２３    ドライブ装置
２４    記録媒体
２５    補助記憶装置
２６    メモリ装置
２７    演算処理装置
２８    インターフェース装置
３１    データ登録部
３２    チェック指示部
３３    チェック実行部
３４    出荷確認設定部
３５    通知部
【図１】
2006318137.tif 000003
【図２】
2006318137.tif 000004
【図３】
2006318137.tif 000005
【図４】
2006318137.tif 000006
【図５】
2006318137.tif 000007
【図６】
2006318137.tif 000008
【図７】
2006318137.tif 000009